(57)【要約】  【課題】テレビを浴室の内壁に取り付ける際の取付け構造に関するものであり、施工が簡単であって、壁との一体感を保つことができる取付け構造を提供することを目的とする。  【解決手段】内壁２に、取付け金具３をネジ止し、テレビ１の第一形態の機器側係合部４５に取付け金具３の第一形態の金具側係合部１５を挿入し、機器側係合部４５に金具側係合部１５を係合させる。続いてテレビ１の下辺３７を下げてフック部２２を中心としてテレビ１を回動する。そして取付け金具３の第二形態の金具側係合部２５をテレビ１側の第二形態の機器側係合部５５に入れる。その結果、テレビ１は、取付け金具３に仮固定された状態となる。続いてネジを当該ネジ挿入孔７０に挿入し、内部のネジ止め用突出部３１の雌ネジ孔３３に係合させてテレビ１を取付け金具３に固定する。【選択図】  図５
2010041086.tif 000002
【特許請求の範囲】
【請求項１】
電気機器を締結要素によって壁に固定する電気機器の取付け構造において、前記電気機器は板状であって背面側から電線が導出されさらに背面側に防水部材が接し、壁面に予め固定された取付け金具を介して壁に取り付けられるものであり、前記取付け金具は電線を連通させる連通部を備え、電気機器を壁に取り付けた姿勢を基準として電気機器裏面側の上部と下部の二箇所、又は電気機器裏面側の左部と右部の二箇所に機器側係合部があり、取付け金具には前記機器側係合部と係合する金具側係合部があり、機器側係合部と金具側係合部とが係合することによって少なくとも２か所に係合関係が形成され、前記２か所の係合関係の内の一方は、電気機器を取付け金具の平面から垂直方向に離脱することを防止可能な離脱防止係合構造であり、他方の係合関係は電気機器を取付け金具に対して平行姿勢で近接して係合させることが可能な近接接合係合構造であり、前記締結要素は電気機器と取付け金具の間を締結するものであることを特徴とする電気機器の取付け構造。
【請求項２】
離脱防止係合構造は、機器側係合部と金具側係合部のいずれかにフック部を有する構造であり、フック部を中心として電気機器を回動させることができることを特徴とする請求項１に記載の電気機器の取付け構造。
【請求項３】
近接接合係合構造は、機器側係合部と金具側係合部のいずれかに突出部があり、他方に穴を有する構造であることを特徴とする請求項１又は２に記載の電気機器の取付け構造。
【請求項４】
締結要素はネジであり、電気機器と取付け金具のいずれかにネジ止め用突出部があり、他方に受入れ穴が設けられ、ネジ止め用突出部が受入れ穴に挿入され、ネジ止め用突出部と受入れ穴内の部材との間に前記ネジが締結されることを特徴とする請求項１乃至３のいずれかに記載の電気機器の取付け構造。
【請求項５】
ネジ止め用突出部は傾斜部を有し、受入れ穴には傾斜壁があり、当該傾斜壁の一方の面は電気機器の正面側に面し、傾斜壁の他方の面はネジ止め用突出部の傾斜部と接することを特徴とする請求項４に記載の電気機器の取付け構造。
【請求項６】
ネジ止め用突出部は取付け金具に設けられ、ネジ止め用突出部の両脇に金具側係合部があることを特徴とする請求項４又は５に記載の電気機器の取付け構造。
【請求項７】
電気機器は浴室用テレビであり、電気機器が取り付けられる壁は浴室の内壁であることを特徴とする請求項１乃至６のいずれかに記載の電気機器の取付け構造。
【発明の詳細な説明】
【技術分野】
【０００１】
本発明は、電気機器を壁に取り付ける際の構造に関するものである。本発明は、特に浴室用テレビを浴室の内壁に取り付ける際の取付け構造として好適なものである。
【背景技術】
【０００２】
風呂でくつろいだ状態でテレビを見たいという要求があり、浴室用のテレビが開発されている（特許文献１）。
ここで浴室は、リビングルーム等の他の居室に比べて狭いという特性と、湯水が掛かる場所であるという特性がある。
そのため浴室にテレビを設置する場合には、入浴者の邪魔にならないことを目的として、また確実な水封を行うことを目的として浴室の壁に直接固定される場合が多い。
【０００３】
テレビを浴室の壁に取り付ける構造としては、ネジによる方策がある。
即ちテレビの外形を長方形に成形し、その四隅又は辺部に孔を設け、木ネジ等で直接浴室の内壁にテレビを取り付ける。
そして木ネジ等が入浴者の目に触れることがないように、テレビの辺部にモールや化粧枠を取り付け、木ネジ等を隠す。
【特許文献１】特開２００６−１０９０２４号公報
【発明の開示】
【発明が解決しようとする課題】
【０００４】
従来技術の様な木ネジ等で直接浴室の内壁にテレビを取り付け、化粧枠等で木ネジ等をカモフラージュする構造は、テレビと浴室の壁との一体感に欠けるという不満がある。
即ち近年のテレビは厚さが薄く、且つ平面的であるので、浴室の壁と調和した平面を構成させやすい。そのため浴室を設計するデザイナーは、あたかも壁の一部がテレビであるかの様な一体感のある浴室を設計したいと考えるが、化粧枠等があると、テレビと浴室の壁とが区切られた様な見栄えとなり、調和が乱れる。また化粧枠等は、浴室の壁やテレビ画面の平面よりも前方に突出するため、他の部位に比べて注目を集めやすく、違和感が生じる。
【０００５】
そこで本発明者らは、化粧枠等を無くするための方策として、壁に予め取付け金具をネジ止めし、この取付け金具にテレビをネジ止めすることによってテレビを取り付ける方策を考えた。
しかしながらこの方策は、施工工事が面倒であるという問題があった。
【０００６】
即ち浴室用のテレビは、前記した電線部分から水が侵入することを防ぐため、電線の取り出し孔の周囲にパッキン材を配する必要がある。そしてパッキン材は、壁とテレビの間、又は取付け金具とテレビとの間で圧縮状態にする必要がある。
そのためテレビを取り付ける際に、パッキン材の反発力でテレビが壁から離れる方向に付勢され、テレビが正規の位置を離れ、ネジを挿通させにくい。
【０００７】
そこで次に、取付け金具にレールを設け、テレビにガイドを設けた構造を試作した。そして取付け金具を壁にネジ止めし、テレビ側のカイドをレールに係合させた状態でテレビを上下方向にスライドさせ、テレビを所定の位置に仮固定し、その状態でネジを挿入してテレビを取付け金具に固定した。
【０００８】
しかしながらこの構成は、浴室の壁に大きな孔を設けなければならないという問題が生じた。
即ちテレビはアンテナからの信号を伝導する信号線や、電源を供給する電力線が必要であり、多くの電線がテレビの本体から外部に引き出されている。そしてテレビを浴室内に設置するためには、これらの電線を浴室外に導く必要がある。そのために浴室の壁に孔を設ける必要があるが、浴室の水密性を確保するためには壁に設ける孔は極力小さいことが望ましい。
しかしながら、前記した方策によると、テレビのカイドをレールに係合させた状態でテレビを上下方向にスライドさせるので、テレビをスライドする際に、テレビの電線も縦方向に移動する。そのため壁に設ける孔に、電線の移動しろを確保する必要が生じ、壁に設ける孔を大きくせざるを得ない。
【０００９】
そこで本発明は、従来技術の上記した問題点に注目し、施工が簡単であって、壁との一体感を保つことができる電気機器の取付け構造を提供することを目的とする。
【課題を解決するための手段】
【００１０】
上記した課題を解決するための請求項１に記載の発明は、電気機器を締結要素によって壁に固定する電気機器の取付け構造において、前記電気機器は板状であって背面側から電線が導出されさらに背面側に防水部材が接し、壁面に予め固定された取付け金具を介して壁に取り付けられるものであり、前記取付け金具は電線を連通させる連通部を備え、電気機器を壁に取り付けた姿勢を基準として電気機器裏面側の上部と下部の二箇所、又は電気機器裏面側の左部と右部の二箇所に機器側係合部があり、取付け金具には前記機器側係合部と係合する金具側係合部があり、機器側係合部と金具側係合部とが係合することによって少なくとも２か所に係合関係が形成され、前記２か所の係合関係の内の一方は、電気機器を取付け金具の平面から垂直方向に離脱することを防止可能な離脱防止係合構造であり、他方の係合関係は電気機器を取付け金具に対して平行姿勢で近接して係合させることが可能な近接接合係合構造であり、前記締結要素は電気機器と取付け金具の間を締結するものであることを特徴とする電気機器の取付け構造である。
【００１１】
防水部材は、電気機器の背面側と浴槽内壁の壁、または電気機器の背面側と取付け金具の間にあり、近接接合係合構造が係合状態にある場合は、近接接合係合構造の係合力が防水部材の厚みに起因する反発力に抗して電気機器を仮固定するものであることが望ましい。即ち近接接合係合構造が係合状態にある場合は、電気機器と取付け金具とが、近接接合状態を維持することができることが望ましい。
【００１２】
ここで「取付け金具」は取付け用の部材を示す一般名称であり、「金具」という文言を有するが材質を金属に限定するものではない。
本発明の電気機器の取付け構造は、壁面に予め固定された取付け金具にネジ等の締結要素でテレビ等の電気機器を取り付けるものであり、モールや化粧枠は不要である。
また本発明の電気機器の取付け構造では、電気機器裏面側の上部と下部の二箇所、又は電気機器裏面側の左部と右部の二箇所で電気機器と取付け金具が係合する。そして二つの係合部の内の一方は、電気機器を取付け金具の平面から垂直方向に離脱することを防止可能な離脱防止係合構造であり、他方の係合関係は電気機器を取付け金具に対して平行姿勢で近接して係合させることが可能な近接接合係合構造である。
本発明によって電気機器を壁に取り付ける際、離脱防止係合構造側を先に係合させ、離脱防止係合構造側を中心として電気機器を回動させる。ここで近接接合係合構造側は、離脱防止係合構造側に対して対向する辺側にあるので、離脱防止係合構造側を中心として電気機器を回動させると、電気機器の近接接合係合構造側は、取付け金具に対して平行姿勢で近接する。そのため近接接合係合構造側を容易に係合させることができる。
本発明の電気機器の取付け構造は、離脱防止係合構造側と近接接合係合構造側が係合することによって電気機器が取付け金具に仮固定され、ネジ等の締結要素の取付けが容易である。
また本発明では、電気機器は、取り付けの際に離脱防止係合構造側を中心として、円弧軌跡を描いて取付け金具に近接するものであり、取付け金具と全面が接する直前における上下方向や左右方向への移動量が少なく、電線を通すために壁に設ける孔等は小さなもので足りる。
【００１３】
請求項２に記載の発明は、離脱防止係合構造は、機器側係合部と金具側係合部のいずれかにフック部を有する構造であり、フック部を中心として電気機器を回動させることができることを特徴とする請求項１に記載の電気機器の取付け構造である。
【００１４】
本発明の電気機器の取付け構造では、離脱防止係合構造がフックによって構成されるので、簡単な構造でありながら、電気機器を取付け金具の平面から垂直方向に離脱することを阻止することができる。
【００１５】
請求項３に記載の発明は、近接接合係合構造は、機器側係合部と金具側係合部のいずれかに突出部があり、他方に穴を有する構造であることを特徴とする請求項１又は２に記載の電気機器の取付け構造である。
【００１６】
本発明の電気機器の取付け構造では、突出部と穴によって近接接合係合構造が構成されているので、簡単な構造でありながら、電気機器を取付け金具に対して平行姿勢で近接して係合させることが可能である。
【００１７】
請求項４に記載の発明は、締結要素はネジであり、電気機器と取付け金具のいずれかにネジ止め用突出部があり、他方に受入れ穴が設けられ、ネジ止め用突出部が受入れ穴に挿入され、ネジ止め用突出部と受入れ穴内の部材との間に前記ネジが締結されることを特徴とする請求項１乃至３のいずれかに記載の電気機器の取付け構造である。
【００１８】
本発明の電気機器の取付け構造は、ネジ止め用突出部を受入れ穴に挿入し、突出部と受入れ穴内の部材との間にネジが締結されているので、外部からネジが見えにくい。
【００１９】
請求項５に記載の発明は、ネジ止め用突出部は傾斜部を有し、受入れ穴には傾斜壁があり、当該傾斜壁の一方の面は電気機器の正面側に面し、傾斜壁の他方の面はネジ止め用突出部の傾斜部と接することを特徴とする請求項４に記載の電気機器の取付け構造である。
【００２０】
本発明の電気機器の取付け構造では、傾斜面によってネジが締結されるので、壁の前方側からのネジ止め作業が容易である。
【００２１】
請求項６に記載の発明は、ネジ止め用突出部は取付け金具に設けられ、ネジ止め用突出部の両脇に金具側係合部があることを特徴とする請求項４又は５に記載の電気機器の取付け構造である。
【００２２】
本発明の電気機器の取付け構造では、ネジ止め用突出部の両脇に金具側係合部があるので、ネジ止め用突出部と受入れ穴との位置合わせが容易である。即ち金具側係合部によって電気機器と取付け金具との相対位置が概ね決まるが、ネジ止め用突出部は、金具側係合部に挟まれた位置にあるので、金具側係合部が取付け金具と係合すると、必然的にネジ止め用突出部と受入れ穴との位置合わせが成される。
【００２３】
請求項７に記載の発明は、電気機器は浴室用テレビであり、電気機器が取り付けられる壁は浴室の内壁であることを特徴とする請求項１乃至６のいずれかに記載の電気機器の取付け構造である。
【００２４】
本発明によると、浴室用テレビを見栄えよく浴室の内壁に取り付けることができる。
【発明の効果】
【００２５】
本発明の電気機器の取付け構造は、テレビを浴室に取り付ける構成として最適であり、施工が簡単であって、壁との一体感を保つことができ、見栄えがよい。
【発明を実施するための最良の形態】
【００２６】
以下さらに本発明の実施形態について説明する。図１は、本発明の実施形態の一つであり、テレビを浴室の壁に取り付けた状態を示す正面図である。図２は、図１の取付け構造の分解斜視図であり、テレビの裏面側と取付け金具の正面側を示す。図３は、図１の取付け構造をＡ−Ａ断面方向から見た分解斜視図断面図及び下部の拡大図である。図４は、図１の取付け構造をＡ−Ｂ断面方向から見た分解斜視図断面図及び下部の拡大図である。
本実施形態は、図１の様にテレビ１を浴室の内壁２に取り付けるものである。本実施形態のテレビの取付け構造は、図２の様に取付け金具３を介して浴室の内壁２に固定される。
本実施形態で採用する取付け金具３は、メッキされた鋼板やステンレス板を曲げ加工して作られたものであり、略長方形をしている。即ち内壁２に取り付けられた姿勢を基準として長辺たる上下の辺６，７と、短辺たる左右の辺１０，１１がある。各辺６，７．１０．１１で囲まれた領域は本体平面部８であり、開口１２及び取付け孔１３を除いて平滑面である。
【００２７】
取付け金具３の中央には前記した開口１２が設けられている。開口１２の形状は、前方後円形古墳の様な形であり、上部側が円形であり、下部側は方形である。
また取付け金具３の辺部近傍には、５個の取付け孔１３が設けられている。取付け孔１３には円形の孔１３ａと、縦長の長円の孔１３ｂ、及び横長の長円の孔１３ｃがある。円形の取付け孔１３ａは、上部側の中央にあり、縦長の長円の孔１３ｂは上部側の左右端にある。
また横長の長円の孔１３ｃは、下部側の左右端にある。
縦長の長円の孔１３ｂ及び横長の長円の孔１３ｃの周囲には切り込みが設けられている。
【００２８】
取付け金具３の上辺６には、第一形態の金具側係合部１５が３か所に設けられている。第一形態の金具側係合部１５は、図３の様に略フック状であり、本体平面部８と同一平面上に延ばされた延設部２０と、延設部２０と連続してテレビ１側に水平に張り出された張出部２１と、張出部２１に連続し、本体平面部８と平行方向に延びるフック部２２によって構成されている。
【００２９】
一方、取付け金具３の下辺７には、第二形態の金具側係合部２５が２か所に設けられている。第二形態の金具側係合部２５は、図３の様に略「Ｌ」状であり、本体平面部８と同一平面上に延ばされた延設部２６と、延設部２６と連続してテレビ１側に略水平に張り出された突出部２７を備えている。突出部２７の張り出し方向は、前記した様に水平に近いものであるが、後記する機器側係合部と係合させた時に、締まり状態となる様に僅かに先端側が下方向に傾斜している。
また突出部２７の先端にはテーパ部３０が設けられている。
第二形態の金具側係合部２５には、フック部は無い。
【００３０】
また取付け金具３の下辺７には、ネジ止め用突出部３１が３か所に設けられている。
ネジ止め用突出部３１は、図４の様に本体平面部８から三角形に突出させたものであり、テレビ１側に突出し、先端側が下方向に傾斜した第一傾斜部３２と、第一傾斜部３２に連続し、本体平面部８側に折り返された第二傾斜部３５によって構成されている。第二傾斜部３５の外側の面（テレビ１側）は、本体平面部８に対して鈍角の傾斜角度Ａを持つ。
第二傾斜部３５には雌ネジ孔３３が設けられている。
【００３１】
ネジ止め用突出部３１は、取付け金具３の下辺７の中心部と、両端部に配されている。そして前記した第二形態の金具側係合部２５は、中心のネジ止め用突出部３１の両脇であってその近傍に設けられている。
【００３２】
一方、テレビ１の背面には、前記した第一形態の金具側係合部１５、第二形態の金具側係合部２５及びネジ止め用突出部３１と係合する穴が設けられている。
即ちテレビ１は、図１の様に長方形の板状であり、内壁２に取り付けられた姿勢を基準として長辺たる上下の辺３６，３７と、短辺たる左右の辺４０，４１がある。各辺３６，３７，４０，４１で囲まれた領域は裏面側平面部４８である。
【００３３】
テレビ１の背面の中央には開口があり、開口から複数の電線５０が延びている。開口と電線５０の間にはゴムシール５１が挿入されている。
電線の導出部の周囲には、パッキン５２が貼られている。パッキン５２は、弾性をもった発泡性の樹脂シートで作られており、前記した取付け金具３の開口１２と合致する平面形状をしている。即ちパッキン５２は、前方後円形古墳の様な形であり、上部側が円形であり、下部側は方形である。
【００３４】
テレビ１の背面の上辺３６には、第一形態の機器側係合部４５が３か所に設けられている。第一形態の機器側係合部４５は、長方形の穴であるが、図３の様に、上部側の辺の開口部に係合壁５３が設けられている。そのため第一形態の機器側係合部４５は、図３の様に内部が折れ曲がった断面形状となっている。
【００３５】
一方、テレビ１の背面の下辺３７には、第二形態の機器側係合部５５が２か所に設けられている。第二形態の機器側係合部５５は、長方形の穴である。また穴を構成する壁の内、下側の壁の端部には図３の様に傾斜部５６が形成されている。
第二形態の機器側係合部５５には、係合壁はない。
【００３６】
またテレビ１の背面の下辺３７には、受入れ穴６０が３か所に設けられている。
受入れ穴６０は、開口形状が長方形の穴であり、受入れ穴６０の内部は、図４の様に天面壁６１、奥壁６２、左右壁６３，６４及び底壁６５で囲まれている。そして底壁６５は、図の様に奥側が高くなる方向に傾斜している。底壁６５には、ネジ挿入孔７０が設けられている。
また底壁６５の下面側は、図の様にテレビ１の下辺３７側に開放されている。
【００３７】
前記した受入れ穴６０は、テレビ１の背面の下辺３７の中心部と、両端部に配されている。そして前記した第二形態の機器側係合部５５は、中心の受入れ穴６０の両脇であってその近傍に設けられている。
【００３８】
次に浴室の内壁２にテレビ１を取り付ける際の手順について説明する。
図５は、本発明の実施形態のテレビの取付け構造によってテレビを取り付ける際の手順の一つを示す断面図である。図６は、図１のＡ−Ａ断面斜視図及びその一部の拡大図である。図７は、図１のＡ−Ｂ断面斜視図及びその一部の拡大図である。
まずテレビ１を設置しようとする内壁２の部位に、ドリルその他で孔を設ける。この孔は、電線５０を外部に引き出すための孔である。そしてテレビ１を設置しようとする内壁２の部位に、取付け金具３をネジ止めする。即ち取付け金具３の取付け孔１３に木ネジを挿通し、内壁２に直接ネジを係合させて取付け金具３を固定する。なおこのとき、内壁２に設けられた開口と、取付け金具３の開口１２の位置を合致させておく。
【００３９】
続いてテレビ１の背面を下にして略水平に保持し、図５の様に第一形態の機器側係合部４５に取付け金具３の第一形態の金具側係合部１５を挿入する。その後にテレビ１を傾斜姿勢に姿勢変更しテレビ１の上辺３６近傍に設けられた第一形態の機器側係合部４５に取付け金具３の第一形態の金具側係合部１５を係合させる。
ここで第一形態の金具側係合部１５は、略フック状であり、本体平面部８と同一平面上に延ばされた延設部２０と、延設部２０と連続してテレビ１側に水平に張り出された張出部２１と、張出部２１に連続し、本体平面部８と平行方向に延びるフック部２２によって構成されている。一方、第一形態の機器側係合部４５は、長方形の穴であるが、上部側の辺の開口部に係合壁５３が設けられている。そのため第一形態の機器側係合部４５に取付け金具３の第一形態の金具側係合部１５を係合させると、金具側係合部１５のフック部２２が機器側係合部４５の係合壁５３と係合し、テレビ１を取付け金具３の平面から垂直方向に離脱することができない離脱防止係合構造となる。
【００４０】
そのため図５の二点鎖線の様にテレビ１の下辺３７を下げると、テレビ１は、第一形態の金具側係合部１５のフック部２２を中心として回動する。
なおテレビ１の背面の電線５０は、取付け金具３の開口１２から内壁２の孔を経て外部に導出される。またパッキン５２は、浴室の内壁２に近接し、ついには内壁２と直接接する。ただしこの時点では、パッキン５２に厚みがあるため、テレビ１に前方から力を加えなければテレビ１と取付け金具３とは正規の結合位置に近接できず、ネジによる固定は容易ではない。
そしてテレビ１の姿勢が垂直姿勢に近い状態となると、テレビ１の移動軌跡は、近似的に取付け金具３と平行に近接するものとなる。
従ってテレビ１の下辺３７側に設けられた第二形態の機器側係合部５５は、近似的に取付け金具３の第二形態の金具側係合部２５に平行姿勢で近接する。ここで取付け金具３の下辺７に設けられた第二形態の金具側係合部２５は、略「Ｌ」字状であり、本体平面部８と同一平面上に延ばされた延設部２６と、延設部２６と連続してテレビ１側に略水平に張り出された突出部２７を備えているが、フック部に相当するものは無い。またテレビ１側の第二形態の機器側係合部５５は単なる長方形の穴であるから、取付け金具３の第二形態の金具側係合部２５がテレビ１側の第二形態の機器側係合部５５に入る。
【００４１】
ここで本実施形態では、取付け金具３の第二形態の金具側係合部２５の先端にテーパ部３０があり、テレビ１側の第二形態の機器側係合部５５には傾斜部５６があるため、取付け金具３の金具側係合部２５の突出部２７は機器側係合部５５に容易に導かれる。また金具側係合部２５の突出部２７は片持ち状であるから容易に撓み、テレビ１側の機器側係合部５５に入る。
また前記した様に、取付け金具３の第二形態の金具側係合部２５は、傾斜角度Ｂが鈍角であり、やや開き姿勢であるから、突出部２７がテレビ１側の第二形態の機器側係合部５５に挿入されると、突出部２７が機器側係合部５５の底壁を押圧し、係合力を発現し、パッキン５２の反発力に抗して、離脱しにくい状態となる。
【００４２】
その結果、テレビ１は、取付け金具３に仮固定された状態となる。
また取付け金具３のネジ止め用突出部３１は、テレビ１側の受入れ穴６０に入る。より詳細には、ネジ止め用突出部３１の第二傾斜部３５が受入れ穴６０の底壁６５と接する。その結果、ネジ止め用突出部３１の第二傾斜部３５に設けられた雌ネジ孔３３と、テレビ１側のネジ挿入孔７０の位置が合致する。
【００４３】
ここで前記した様にテレビ１側の底壁６５は、裏面側がテレビ１の下辺３７側の側面に開放されている。さらに底壁６５は傾斜している。そのため作業者が背を屈め、目の高さをテレビ１の下辺３７よりも下に下げると、底壁６５の裏面側が目視可能な状態となる。そのため作業者は、底壁６５のネジ挿入孔７０の位置を目視確認しつつ、ネジを当該ネジ挿入孔７０に挿入し、内部のネジ止め用突出部３１の雌ネジ孔３３に係合させることができる。即ちネジによってテレビ１を取付け金具３に固定することができる。
この状態において、テレビ１の上辺３６側は、取付け金具３側の第一形態の金具側係合部１５と、テレビ１側の第一形態の機器側係合部４５とが取付け金具３の平面から垂直方向に離脱することができない離脱防止係合構造であり、且つテレビ１の上辺３６側は、両者の係合によって左右方向にも位置決めされている。またテレビ１の下辺３７側は、金具側係合部２５と、機器側係合部５５とが平行姿勢で近接して係合させることが可能な近接接合係合構造であるものの、両者の係合によって左右方向にも位置決めされている。
【００４４】
さらにテレビ１の下辺側は、ネジによって取付け金具３に接続されている。そのためテレビ１は上下の辺が取付け金具３に一体的に固定され、テレビ１は内壁２にしっかりと固定されることとなる。
また必要に応じて、テレビ１の底壁６５の部分に栓を取付け、ネジが外側から見えないように処置する。
【００４５】
以上説明した実施形態では、テレビ１側に穴状の係合部を設け、取付け金具３側に突出状の係合部を設けた。この理由は、主として加工工程の都合によるものであり、必須ではない。即ちテレビ１側に突出状の係合部を設け、取付け金具３側に穴状の係合部を設けてもよい。
また上記した実施形態では、テレビ１の上辺側と下辺側に係合部を設けたが、左右の辺に係合部を設けてもよい。さらに上記した実施形態では、上辺側を中心としてテレビ１を回動させる構成を例示したが、下辺側を中心としてテレビ１を回動させてもよい。
【００４６】
また上記した実施形態では、ネジを装着するためのネジ止め用突出部３１及び受入れ穴６０を別途設けたが、これを省略し、第二形態の機器側係合部５５及び第二形態の金具側係合部２５にネジ孔等を設けてもよい。
【００４７】
また上記した実施形態では、取付け金具３の第二形態の金具側係合部２５の傾斜角度Ｂをやや開き姿勢とし、突出部２７が機器側係合部５５の底壁６５を押圧して離脱しにくい状態とする構成を採用したが、図８に示す様に突出部２７に小さな係合突起７１又は凹部を設け、当該係合突起７１等で突出部２７を保持してもよい。もちろん機器側係合部５５の底壁６５側や他の壁面に係合突起等を設けることも可能である。この様に突起部２７等の係合手段を採用する場合には、金具側係合部２５の傾斜角度Ｂは垂直であってもよい。
【００４８】
また金具側係合部２５の傾斜角度Ｂを垂直又はやや鋭角状態とすると共に、図９、図１０の様に金具側係合部２５の一部を切り欠いて一部を変形させ、機器側係合部５５の底壁６５や他の壁面を弾性的に押圧する「カエリ」状の部位７５を形成させても同様の作用効果を発揮させることができる。
図８、図９、図１０の様に突起部２７や「カエリ」状の部位７５を設ける場合には、金具側係合部２５と機器側係合部５５との係合力が強くなるので、より強固に仮固定ができる反面、テレビ１を取り外す際に係合状態を解除することが困難となる。
そこで図１１の様に機器側係合部５５の底壁に孔８０を設け、当該孔８０にドライバー等の棒状部材８１を挿通して突出部２７を上に押し上げ、係合状態を解除する方策が考えられる。
【００４９】
また上記した実施形態では、主として金具側係合部２５の弾性力によってテレビ１を取付け金具３に仮固定したが、テレビ１の機器側係合部５５に弾性力を発揮させてテレビ１を取付け金具３に仮固定してもよい。
例えば図１２の様に、底板６５の両側にスリット７６を設け、底板６５を片持ち状にして弾性力を生じさせ、この弾性力をもって突出部２７を押圧することも可能である。
【００５０】
上記した実施形態では、パッキン５２は浴室の内壁２に接して防水を行うものであるが、取付け金具３に接するものであってもよい。即ち上記した実施形態では、パッキン５２は、テレビ１と浴室の内壁２との間に挟まれるものであるが、パッキン５２をテレビ１と取付け金具３の間で挟んでもよい。
【図面の簡単な説明】
【００５１】
【図１】本発明の実施形態の一つであり、テレビを浴室の壁に取り付けた状態を示す正面図である。
【図２】図１の取付け構造の分解斜視図であり、テレビの裏面側と取付け金具の正面側を示す。
【図３】図１の取付け構造をＡ−Ａ断面方向から見た分解斜視図断面図及び下部の拡大図である。
【図４】図１の取付け構造をＡ−Ｂ断面方向から見た分解斜視図断面図及び下部の拡大図である。
【図５】本発明の実施形態のテレビの取付け構造によってテレビを取り付ける際の手順の一つを示す断面図である。
【図６】図１のＡ−Ａ断面斜視図及びその一部の拡大図である。
【図７】図１のＡ−Ｂ断面斜視図及びその一部の拡大図である。
【図８】発明の他の実施形態で採用する近接接合係合構造の断面図である。
【図９】発明の他の実施形態で採用する取付け金具の突出部の正面図である。
【図１０】図９の突出部の斜視図である。
【図１１】発明のさらに他の実施形態で採用する近接接合係合構造の断面図である。
【図１２】発明のさらに他の実施形態で採用する機器側係合部の斜視図である。
【符号の説明】
【００５２】
１    テレビ
２    内壁
３    取付け金具
１２    開口（連通部）
１５    金具側係合部
２２    フック部
２５    金具側係合部
３１    ネジ止め用突出部
３２    第一傾斜部
３５    第二傾斜部
４５    機器側係合部
５０    電線
５２    パッキン
５５    機器側係合部
６０    受入れ穴
６５    底壁
【図１】
2010041086.tif 000003
【図２】
2010041086.tif 000004
【図３】
2010041086.tif 000005
【図４】
2010041086.tif 000006
【図５】
2010041086.tif 000007
【図６】
2010041086.tif 000008
【図７】
2010041086.tif 000009
【図８】
2010041086.tif 000010
【図９】
2010041086.tif 000011
【図１０】
2010041086.tif 000012
【図１１】
2010041086.tif 000013
【図１２】
2010041086.tif 000014